(57)【特許請求の範囲】
【請求項１】
エンジン等の動力源によって駆動し、動力源には出力軸が連結され、出力軸には送風を行うファンが取付けられ吸込または送風作業を行う携帯用ブロワであって、ファンを収納するケースの出力軸線上に吸込口を、ファンの外周でケースの前面側に吹出口を有し、吸込口に吸込管を取付け且つ吹出口に集塵袋等と連結可能な吹出管を取付けることにより落葉や塵芥等を吸込む機構を有し、あるいは吹出口に吹出管を取付けることにより落葉や塵芥等を吹き寄せる機構を有し、ケース上部にスロットルトリガを収納し且つ平面視で出力軸とほぼ直交するように配置されたハンドルを持ち、ケース下部のエンジン下方に側面視でハンドルとほぼ平行に配置されたサブハンドルと本体部を置く場合に接地する接地部を持つ携帯用ブロワにおいて、ハンドルの吹出口と反対側の端部が下方に屈曲し、且つサブハンドルの吹出口側の端部が上方に屈曲するように構成され、屈曲したサブハンドルの端部は、側面視で接地部より吹出口側に位置することを特徴とした、携帯用ブロワ。
【請求項２】
請求項１記載の携帯用ブロアにおいて、サブハンドルの側面視で出力軸のほぼ真下に位置する部分が上方に湾曲するように構成されていることを特徴とした、携帯用ブロワ。
【請求項３】
請求項１乃至２のいずれかに記載の携帯用ブロワにおいて、本体部を接地させた場合、サブハンドルの出力軸のほぼ真下に位置する上方に湾曲した部分の両端底面側が接地するように構成されていることを特徴とした、請求項１乃至２のいずれかに記載の携帯用ブロワ。
【請求項４】
請求項１から３のいずれかに記載の携帯用ブロワにおいて、サブハンドルの表面にサブハンドルの長手方向とほぼ直交する向きの複数の凹部を有することを特徴とした、請求項１から３のいずれかに記載の携帯用ブロワ。
【請求項５】
請求項１から４のいずれかに記載の携帯用ブロワにおいて、サブハンドルの表面の少なくとも1部に柔軟な弾性部材を有することを特徴とした、請求項１から４のいずれかに記載の携帯用ブロワ。
【請求項６】
請求項１から５のいずれかに記載の携帯用ブロワにおいて、ハンドルの表面の少なくとも1部に柔軟な弾性部材を有することを特徴とした、請求項１から５のいずれかに記載の携帯用ブロワ。
【発明の詳細な説明】
【技術分野】
【０００１】
本発明は、エンジン等の動力源を備え、例えば落葉や塵芥等を吸込む吸込作業とそれらを吹き寄せる送風作業とを選択的に行い得るようにされた携帯用ブロワの操作性に関する。
【背景技術】
【０００２】
従来の携帯用ブロワの一例を図９に示す。携帯用ブロワ２１は、例えば落葉や塵芥等を吸込む吸込作業を行う状態で示されており、その構成を簡略に説明すれば、動力源としてのエンジン２２及びケース２３等からなる本体部２１Ａを備え、前記エンジン２２の出力軸（図示せず）の一端側（左側面側）の前記ケース２３内に、ファン（図示せず）が取付けられるとともに、吸込口（図示せず）とそれに着脱可能に連結された吸込管２４からなる吸込通路部２５が配置され、前記ケース２３の前面に、吹出口２６とそれに着脱可能に連結されたＬ字形の吹出管２７からなる吹出通路部２８が配置されている。この吹出通路部２８の風上（先端）部分は若干斜め下方を向くようにされていて、前記吹出管２７の風下端部に、適宜の通気性を有する集塵袋２９が取付けられている。
また、前記ケース２３の上側に前記出力軸に平面視で直交するようにハンドル３０が配置され、前記エンジン２２の近傍に前記ハンドルに側面視で直交するようにサブハンドル３１が配置されている。
ここで、前記吸込通路部２５は前記出力軸と同軸状に配置され、前記吹出通路部２８の風上部分は、平面視で前記吸込通路部２５に直交するように配置されていることになる。
そのため、携帯用ブロワ２１を図に示される如く落葉や塵芥等を吸込む吸込作業を行う場合には、通常、前記吸込管２４の先端から落葉等を吸込ませるべく、前記ハンドル３０と前記サブハンドル３１を同時に持って前記吸込管２４を下方に向けた姿勢にする。
それに対し、例えば落葉や塵芥等を吹き寄せる送風作業を行う場合には、通常、必要なら前記吸込管２４を外し、前記Ｌ字形の吹出管２７及び集塵袋２９に代えて、例えば先端が偏平状に窄められた吹出管（図示せず）を前記吹出口２６に装着し、その吹出管の先端から吹き出される空気によって地面に落下している落葉等を吹き飛ばすべく、前記ハンドル３０を持って前記吹出管２７を斜め前下方に向けた姿勢、つまり、本体部２１Ａを前記吸込作業で使用する場合に対して鉛直面内で４５度程回転させた姿勢にする。
【０００３】
また、別の実施例として、サブハンドルがエンジンの下方に側面視でハンドルとほぼ平行に配置されることにより、落葉等を吹き寄せる送風作業を行う場合でもサブハンドルが本体部側面側に突出せず邪魔にならないように構成された携帯用ブロワが知られている。
【０００４】
更に、特許文献１には、吸込通路部の軸線と吹出通路部の軸線とが平面視で相互にほぼ平行となるように配置されるとともに、前記吸込通路部がファンの回転軸を中心として旋回可能であり且つ任意の位置で停止可能であるように構成されることにより、本体部に互いに平行な両通路部と平行にハンドルを一つだけ設ければ、この共通の一つのハンドルを持った状態で本体部の姿勢を変えることを要しないで、前記吸込み作業と前記送風作業の両方を選択的に行うことができる携帯用ブロワが提案されている。
【０００５】
【特許文献１】実開平６−６０６１７
【発明の開示】
【発明が解決しようとする課題】
【０００６】
以上のように、従来のサブハンドルが本体部側面側に突出している携帯用ブロワにおいては、送風作業時に使用していないサブハンドルが邪魔になりやすい。
また、サブハンドルをエンジンの下方に側面視でハンドルとほぼ平行に配置された携帯用ブロワにおいては、吸込作業時にハンドルとサブハンドルを把持し、吸込口に取付けられた吸込管を下方に向けると、本体部の前後を持つ姿勢となり、本体部の姿勢を維持しにくく、使い勝手が悪い。また、吸込口に取付けられた吸込管を下方に向けたまま吹出口側を使用者の身体と反対側に向けると、本体部の左右を持つ姿勢となり、本体部の姿勢を維持しやすくなるが、使用者の腹部とエンジンが接触しやすくなるため、安全性が低くなる。また、吸込口に取付けられた吸込管を下方に向けたまま吹出口側を使用者の身体側に向けても、本体部の左右を持つ姿勢となり、本体部の姿勢を維持しやすくなるが、吹出管や集塵袋が邪魔になり、使い勝手が悪い。
また、特許文献１記載の携帯用ブロワにおいては、吸込作業時にハンドルを右手で把持した場合、使用者の脚部とエンジンが接触しやすくなるため、安全性が低くなる。また、吸込通路部がファンの回転軸を中心として旋回可能であり且つ任意の位置で停止可能であるように構成されるために、コストが高くなる。
本発明の目的は、落葉や塵芥等を吸込む吸込作業とそれらを吹き寄せる送風作業とを選択的に行い得るようにされ、しかも、送風作業時にサブハンドルが邪魔にならず、また、吸込作業時、送風作業時ともに本体部の姿勢を維持しやすく、使い勝手の良い安価な携帯用ブロワを提供することである。
【課題を解決するための手段】
【０００７】
上記目的を達成するため、請求項１記載の発明は、エンジン等の動力源によって駆動し、動力源には出力軸が連結され、出力軸には送風を行うファンが取付けられ吸込または送風作業を行う携帯用ブロワであって、ファンを収納するケースの出力軸線上に吸込口を、ファンの外周でケースの前面側に吹出口を有し、吸込口に吸込管を取付け且つ吹出口に集塵袋等と連結可能な吹出管を取付けることにより落葉や塵芥等を吸込む機構を有し、あるいは吹出口に吹出管を取付けることにより落葉や塵芥等を吹き寄せる機構を有し、ケース上部にスロットルトリガを収納し且つ平面視で出力軸とほぼ直交するように配置されたハンドルを持ち、ケース下部のエンジン下方に側面視でハンドルとほぼ平行に配置されたサブハンドルを持つ携帯用ブロワにおいて、サブハンドルの吹出口側の端部が上方に屈曲するように構成されていることを特徴とする。
請求項２記載の発明は、請求項１記載の発明において、サブハンドルの側面視で出力軸のほぼ真下に位置する部分が上方に湾曲するように構成されていることを特徴とする。
請求項３記載の発明は、請求項１乃至２のいずれかに記載の発明において、本体部を接地させた場合、サブハンドルの出力軸のほぼ真下に位置する上方に湾曲した部分の両端底面側が接地するように構成されていることを特徴とする。
請求項４記載の発明は、請求項１から３のいずれかに記載の発明において、サブハンドルの表面に長手方向とほぼ直交する向きの複数の凹部を有することを特徴とする。
請求項５記載の発明は、請求項１から４のいずれかに記載の発明において、サブハンドルの表面の少なくとも1部に柔軟な弾性部材を有することを特徴とする。  
請求項６記載の発明は、請求項１から５のいずれかに記載の発明において、ハンドルの表面の少なくとも1部に柔軟な弾性部材を有することを特徴とする。
【発明の効果】
【０００８】
請求項１記載の発明によれば、携帯用ブロワのサブハンドルの吹出口側の端部が上方に屈曲するように構成されているため、吸込作業時にハンドルの屈曲部とサブハンドルの屈曲部を同時に把持し、吸込口に取付けられた吸込管を下方に向けると、ハンドルとサブハンドルを把持した手が本体部を対角線の位置で把持することになり、本体部を両側から持つ姿勢に近くなるため、本体部の姿勢を維持しやすくなり、操作性が向上する。
請求項２記載の発明によれば、サブハンドルの側面視で出力軸のほぼ真下に位置する部分が上方に湾曲するように構成されているため、吸込作業時にハンドルの屈曲部とサブハンドルの屈曲部を同時に把持した場合、使用者の腹部に湾曲部を当てれば、本体部の姿勢をより安定させて吸込作業を行うことができる。
請求項３記載の発明によれば、本体部を接地させた場合、サブハンドルの出力軸のほぼ真下に位置する上方に湾曲した部分の両端底面側が接地するように構成されているため、本体部をより安定した状態で接地させることができる。
請求項４記載の発明によれば、サブハンドルの表面に長手方向とほぼ直交する向きの複数の凹部を有するため、サブハンドルを把持した手が滑りにくくなる。
請求項５記載の発明によれば、サブハンドルの表面の少なくとも1部に柔軟な弾性部材を有するため、サブハンドルを把持した手が滑りにくくなる。
請求項６記載の発明によれば、ハンドルの表面の少なくとも1部に柔軟な弾性部材を有するため、ハンドルを把持した手が滑りにくくなる。
【発明を実施するための最良の形態】
【０００９】
以下に本発明の一実施形態を図１〜図８を参照して説明する。
図１は本発明の実施の形態に係る携帯用ブロワを示す右側面図、図２は同携帯用ブロワの左側面図、図３は図１のＡ−Ａ線部分断面図、図４は図２のＢ−Ｂ線断面図、図５は同携帯用ブロワの吸込口に吸込管を取付けた状態示す正面図、図６は同携帯用ブロワの吸込作業を示す斜視図、図７は同携帯用ブロワの吸込作業を示す右側面図、図８は同携帯用ブロワの吹出口に吹出管を取付けた状態示す左側面図である。
図１〜図３に示されるように、携帯用ブロワ１は動力源としてのエンジン５、出力軸６、ファン７を収容するケース２、等からなる本体部１Ａを主要部として備えている。なお、動力源として電動モータを使用してもよい。
前記ケース２は、より詳細にはファン７の出力軸６側と反対側を覆う第一ケース２ａ、ファン７の出力軸６側を覆う第二ケース２ｂ、エンジン５を部分的に覆う第三ケース２ｃから構成されている。そして、第一ケース２ａにより形成される出力軸６の延長線上で本体部１Ａの左側面中央部には吸込口８が設けられている。吸込口８は風穴４を有するカバー３で覆われている。また、第一ケース２ａと第二ケース２ｂにより形成されるファン７の外周で本体部１Ａの正面上部には略円筒形の吹出口１０が設けられている。
前記ケース２の上部には、第二ケース２ｂと第三ケース２ｃにより形成されるハンドル１４が、平面視で出力軸とほぼ直交するように配置されている。また、ハンドル１４はスロットルトリガ１５を吹出口１１側端部に収容し、更にハンドル１４の吹出口１０側左側面にスロットルレバ１６を備えている。スロットルトリガ１５は、スロットルレバ１６を左側面視で時計回りに約４０度回動させることによりオンロックさせることができる。また、ハンドル１４の吹出口１１と反対側の端部は下方に屈曲し、ハンドル屈曲部１４ａが形成されている。また、ハンドル１４の表面の一部には、滑り止め用にゴムまたは発砲ウレタン等の柔軟な弾性部材１８が設けられている(図１、２の斜線部)。
一方、前記ケース３の下部でエンジン５下方には、サブハンドル１７が側面視でハンドル１４とほぼ平行に配置されている。また、サブハンドル１７は吹出口側の端部が上方に屈曲し、サブハンドル屈曲部１７ａが形成されている。また、サブハンドル１７は、側面視で出力軸６のほぼ真下に位置する部分が上方に湾曲している。この湾曲部１７ｂの両端底面側は、本体部１Ａを接地させた場合に接地するように配置されているため、本体部１Ａをより安定した状態で置くことができる。
図４に示されるように、サブハンドル１７の表面右側面には、サブハンドル１７の長手方向とほぼ直交する向きに滑り止め用の複数の凹部１７ｃが設けられている。更にサブハンドル１７の左側面には、減肉用の複数のリブ１７ｄが設けられている。
図５〜７に示されるように、携帯用ブロワ１を吸込作業に使用する場合は、カバー３の固定用ねじ（図示せず）を外し、ヒンジ１９を軸にカバ−３を下方に回動させて吸込口８を露出させ、吸込口８に吸込管９を着脱可能に取付けることにより、吸込通路部１０が形成される。一方、吹出口１１に吹出管１２を着脱可能に取付けることにより、吹出通路部１３が形成される。吹出管１２の吹出口１１と反対側の端部は、適宜の通気性を有する集塵袋２０の開口部２０ａに差し込まれる。使用者Ｗはハンドル１４とサブハンドル１７を同時に持ち、集塵袋２０のストラップ２０ｂを肩に掛け、吸込管９が斜め前下方を向くような姿勢で本体部１Ａを維持し、吸込管９の先端から地面に落ちている落葉等を吸い込ませて集塵袋２０に集めるようにする。    
その際、スロットルトリガ１５をオンロック状態にすれば、スロットルトリガ１５を操作する必要がなくなり、ハンドル屈曲部１４ａを手Ｘで把持して吸込作業を行うことができる。更に、サブハンドル屈曲部１７ａをもう片方の手Ｘで同時に把持すると、本体部１Ａを対角線の位置で把持することになり、本体部１Ａを両側から持つ姿勢に近くなるため、本体部１Ａの姿勢を維持しやすくなり、操作性が向上する。また、使用者の腹部に湾曲部１７ｂを当てれば、本体部１Ａを3箇所で保持することになり、本体部１Ａの姿勢をより安定させて吸込作業を行うことができる。また、より好適には、サブハンドル屈曲部１７ａの表面にゴムまたは発砲ウレタン等の柔軟な弾性部材を設ければ、滑り止めの効果が高められ、操作性が向上する。
図８に示されるように、携帯用ブロワ１を送風作業に使用する場合は、吹出口１１に先端が偏平状に窄められた送風作業用吹出管１２Ａを取付けることにより、吹出通路部１３が形成される。そして、ハンドル１４を片手で持ち、送風作業用吹出管１２Ａが斜め前下方を向くように、つまり、本体部１Ａを前記吸込作業で使用する場合に対して鉛直面内で４５度程回転させた姿勢で保持する。そして、送風作業用吹出管１２Ａの先端から吹き出される空気によって地面に落下している落葉等を吹き飛ばすようにする。
その際、スロットルトリガ１５をオンロック状態にすれば、スロットルトリガ１５を操作する必要がなくなり、ハンドル屈曲部１４ａを把持して送風作業を行うことができる。ハンドル屈曲部１４ａを把持すると送風作業用吹出管１２Ａがより下方に向くため、ハンドル１４の吹出口１１寄りの部分を把持する場合に比べて送風作業が行いやすくなる。
また、ハンドル１４を右手で把持して送風作業を行う場合、本体部１Ａの左側面（吸込口８側）が使用者の脚部に触れやすくなるが、吸込口８はカバー３で覆われているため安全である。
更に、上記した携帯用ブロワ１は、特殊な部品や材料を用いることなく構成できるため、安価に提供されることが可能である。
【図面の簡単な説明】
【００１０】
【図１】本発明の実施の形態に係る携帯用ブロワを示す右側面図である。
【図２】本発明の実施の形態に係る携帯用ブロワを示す左側面図である。
【図３】図１のＡ−Ａ線断面図である。
【図４】図１のＢ−Ｂ線断面図である。
【図５】本発明の実施の形態に係る携帯用ブロワの吸込口に吸込作業用の吸込管を取付けた状態を示す正面図である。
【図６】本発明の実施の形態に係る携帯用ブロワによる吸込作業を示す斜視図である。
【図７】本発明の実施の形態に係る携帯用ブロワによる吸込作業を示す右側面図である。
【図８】本発明の実施の形態に係る携帯用ブロワの吹出口に送風作業用吹出管を取付けた状態を示す正面図である。
【図９】従来の携帯用ブロワの一例を示す斜視図である。
【符号の説明】
【００１１】
１  携帯用ブロワ
１Ａ  本体部
２  ケース
２ａ  第一ケース
２ｂ  第二ケース
２ｃ  第三ケース
３  カバー
４  風穴
５  エンジン
６  出力軸
７  ファン
８  吸込口
９  吸込管
１０  吸込通路部
１１  吹出口
１２  吹出管
１２Ａ  送風作業用吹出管
１３  吹出通路部
１４  ハンドル
１４ａ  ハンドル屈曲部
１５  スロットルトリガ
１６  スロットルレバ
１７  サブハンドル
１７ａ  サブハンドル屈曲部
１７ｂ  湾曲部
１７ｃ  凹部
１７ｄ  リブ
１８  弾性部材
１９  ヒンジ
２０  集塵袋
２０a  開口部
２０ｂ  ストラップ
Ｗ  使用者
Ｘ  手
【図１】
0005169119.tif 000002
【図２】
0005169119.tif 000003
【図３】
0005169119.tif 000004
【図４】
0005169119.tif 000005
【図５】
0005169119.tif 000006
【図６】
0005169119.tif 000007
【図７】
0005169119.tif 000008
【図８】
0005169119.tif 000009
【図９】
0005169119.tif 000010